(57)【要約】      （修正有）【課題】マスク着用時のファンデーション等の化粧品付着によるマスクへの汚れを防ぐための貼着剥離自在のマスク用貼付材及びそれを備えたマスクを提供する。【解決手段】マスク用貼付材を貼付することで、マスク５と皮膚の接する鼻部、両側頬上部、マスク上方部にファンデーション等の化粧品付着によるマスクの汚れを貼着剥離自在の貼付材により防止することができる。さらに、マスク用貼付材を貼付することでマスクと皮膚が接する化粧品付着面の中央部に鼻根部勘合部としての凹部と、その両脇部に頬骨部勘合部としての凹部を形成することにより、鼻近傍の隙間を減少させ、鼻近傍の隙間から上昇する呼気中の水蒸気を遮蔽する効果を持ち、眼鏡をかけた際の眼鏡の曇りを防止することができる。【選択図】図４
0003232138.tif 000002
【実用新案登録請求の範囲】
【請求項１】
湾曲変形自在なシート状素材で作成され、一面には接着面が形成されてなり、他面には化粧品付着面が形成されてなることを特徴とする貼着剥離自在のマスク用貼付材。
【請求項２】
化粧品付着面の中央部には、鼻根部勘合部としての凹部と、その両脇部には、頬骨部勘合部としての凹部が形成されていることを特徴とする請求項１に記載のマスク用貼付材
【請求項３】
前記マスク用貼付材は合成樹脂からなる発泡体で形成されてなることを特徴とする請求項１又２に記載のマスク用貼付材
【請求項４】
前記マスク用貼付材の他面には化粧付着面としての不織布が貼付されてなることを特徴とする請求項１又２に記載のマスク用貼付材
【請求項５】
請求項１又は請求項２に記載のマスク用貼付材を備えたマスク
【考案の詳細な説明】
【技術分野】
【０００１】  本考案は、マスク着用時のファンデーション等の化粧品付着によるマスクへの汚れを防ぐための貼着剥離自在のマスク用貼付材及びそれを備えたマスクに関する。
【背景技術】
【０００２】  従来、一般に使用されている、口及び鼻孔を覆うマスクを着用時には、マスクと皮膚が接する鼻部、両側頬上部、マスク上方部にファンデーション等の化粧品が付着してしまう。【０００３】  また、眼鏡をかけた際には、個々の人の顔面の体型のため、マスク上方部と鼻近傍の隙間から呼気中の水蒸気が上昇し、眼鏡が曇りやすくなってしまう。【０００４】  このようなマスク上方部の化粧品付着や眼鏡の曇りを軽減ないし解消すべく、従来より、マスクに関していくつかの提案がなされている。
【先行技術文献】
【特許文献】
【０００３】
【特許文献１】特願２０１９−２２１５５号公報
【特許文献２】特開２００９−６６３８２号公報
【特許文献３】特開２０１２−２２８４９０号公報
【考案の概要】
【考案が解決しようとする課題】
【０００４】  本考案は、このような事情に基づいてなされたもので、マスク着用時のファンデーション等の化粧品付着によるマスクへの汚れを防ぐための貼着剥離自在のマスク用貼付材及びそれを備えたマスクを提供することを目的とする。
【課題を解決するための手段】
【０００５】  湾曲変形可能なシート状素材で作成され、一方面には接着面で形成され、多方面には化粧品付着面を特徴とする。【０００６】  化粧品付着面の中央部には、鼻根部勘合部としての凹部と、その両脇部には、頬骨部勘合部としての凹部が形成されていることを特徴とする。【０００７】  前記マスク用貼付材は合成樹脂からなる発泡体で形成されてなることを特徴とする。【０００８】  前記マスク用貼付材の他面には化粧付着面としての不織布が貼付されてなることを特徴とする【０００９】  湾曲変形自在なシート状素材で作成され、一面には接着面が形成されてなり、他面には化粧品付着面が形成されてなることを特徴とし、また、化粧品付着面の中央部には、鼻根部勘合部としての凹部と、その両脇部には、頬骨部勘合部としての凹部が形成されていることを特徴とするマスク用貼付材に記載のマスク用貼付材を備えたマスク。
【考案の効果】
【００１０】  本考案のマスク用貼付材によると、マスクと皮膚の接する鼻部、両側頬上部、マスク上方部にファンデーション等の化粧品付着によるマスクの汚れを貼着剥離自在の貼付材により防止することができる。【００１１】  また、化粧品付着面の中央部には、鼻根部勘合部としての凹部と、その両脇部には、頬骨部勘合部としての凹部を形成することにより、眼鏡をかけた際に、個々の人の顔面の体型のため、マスク上方部と鼻近傍の隙間から呼気中の水蒸気が上昇し、眼鏡が曇りを防止することができる。
【図面の簡単な説明】
【００１２】
【図１】本考案のマスク用貼付材の平面図
【図２】本考案の他の実施例にかかる不織布を貼着したマスク用貼付材の平面図
【図３】本考案の他の実施例にかかる不織布を貼着したマスク用貼付材を備えたマスクの平面図
【図４】本考案のマスク用貼付材を備えたマスクの装着状態を示す図
【考案を実施するための形態】
【００１３】  図１に示すように、本考案のマスク用貼付材１０は、合成樹脂からなる発泡体３から構成され、マスク上方部に接着するマスク接着面１と、マスクと皮膚が接する化粧品付着面２における鼻根部勘合部としての凹部２ｂとその両脇部には頬骨部勘合部としての凹部２ａから構成される。
【００１４】  図２は本考案の他の実施例にかかるマスク用貼付材１１であり、合成樹脂からなる発泡体３から構成され、マスク上方部に接着するマスク接着面１と、マスクと皮膚が接する化粧品付着面２における鼻根部勘合部としての凹部２ｂとその両脇部には頬骨部勘合部としての凹部２ａから構成される。そして、その化粧品付着面２に不織布４が貼付されてなる。
【００１４】  図３、図４は本考案の他の実施例にかかるマスク用貼付材を備えたマスク５１である。図４におけるマスク５を装着時に、図１におけるマスク用貼付材１０のマスク接着面１をマスク５のマスク内部のマスクと皮膚が接するマスク上方部にマスク用貼付材を貼付することで、化粧品付着面２にファンデーション等の化粧品が付着し、マスクへの化粧品等の汚れを防止することができる。さらに、本考案のマスク用貼付材は貼着剥離自在であり、化粧品付着面２が化粧品等を付着した際に剥離することができる。
【００１５】  また、本考案のマスク用貼付材１１を貼付することで図３に示すようにマスクと皮膚が接する化粧品付着面２の中央部には、鼻根部勘合部としての凹部２ｂと、その両脇部には、頬骨部勘合部としての凹部２ａを形成することにより、鼻近傍の隙間を減少させ、鼻近傍の隙間から上昇する呼気中の水蒸気が遮蔽する効果を持ち、眼鏡をかけた際の眼鏡の曇りを防止することができる。
【産業上の利用可能性】
【００１６】  本考案は、マスク自体の構造や仕様を変更することなく、簡便にマスクの欠点を補うことができる。接着面は接着剤又はシールでも可能であり、特殊な材料を使用せずとも作成できる可能性が高いため低コストであり、マスクの新たな使用状況の発掘にもつながるものであり、産業上利用可能性が高いことが期待される。
【符号の説明】
【００１７】１０  マスク用貼付材
１１  マスク用貼付材
１  マスク接着面
２  化粧品付着面
２ａ  頬骨部勘合部の凹部
２ｂ  鼻根部勘合部の凹部
３  合成樹脂からなる発泡体
４  不織布
５  マスク
５１  マスク用貼付材を備えたマスク
【図１】
0003232138.tif 000003
【図２】
0003232138.tif 000004
【図３】
0003232138.tif 000005
【図４】
0003232138.tif 000006